【手続補正書】
【提出日】平成29年3月17日(2017.3.17)
【手続補正１】
【補正対象書類名】明細書
【補正対象項目名】００２０
【補正方法】変更
【補正の内容】
【００２０】
上記目的を達成するために、請求項１の画像形成装置は、印刷ジョブのジョブデータを用いて、印刷用の画像データを生成する画像データ生成手段と、前記印刷ジョブに設定された属性に基づいて、前記印刷ジョブを実行する前に第１のレポートページデータを生成するレポートページデータ生成手段と、前記画像データ生成手段によって生成された前記画像データに対する印刷処理を実行する印刷手段と、前記印刷手段によって実行された前記印刷処理の実行結果を取得する取得手段と、前記第１のレポートページデータの内容と前記実行結果とが合致するか否かを判別する判別手段と、前記判別手段によって前記第１のレポートページデータの内容と前記実行結果が合致しないと判別された場合には、前記実行結果を反映した第２のレポートページデータを再生成するレポートページデータ再生成手段と、前記判別手段によって前記第１のレポートページデータの内容と前記実行結果が合致しないと判別された場合には、前記第２のレポートページデータを印刷し、前記判別手段によって前記第１のレポートページデータの内容と前記実行結果が合致すると判別された場合には、前記第１のレポートページデータを印刷するレポート印刷手段とを有することを特徴とする。
【手続補正２】
【補正対象書類名】特許請求の範囲
【補正対象項目名】全文
【補正方法】変更
【補正の内容】
【特許請求の範囲】
【請求項１】
画像形成装置であって、
印刷ジョブのジョブデータを用いて、印刷用の画像データを生成する画像データ生成手段と、
前記印刷ジョブに設定された属性に基づいて、前記印刷ジョブを実行する前に第１のレポートページデータを生成するレポートページデータ生成手段と、
前記画像データ生成手段によって生成された前記画像データに対する印刷処理を実行する印刷手段と、
前記印刷手段によって実行された前記印刷処理の実行結果を取得する取得手段と、
前記第１のレポートページデータの内容と前記実行結果とが合致するか否かを判別する判別手段と、
前記判別手段によって前記第１のレポートページの内容と前記実行結果が合致しないと判別された場合には、前記実行結果を反映した第２のレポートページデータを再生成するレポートページデータ再生成手段と、
前記判別手段によって前記第１のレポートページデータの内容と前記実行結果が合致しないと判別された場合には、前記第２のレポートページデータを印刷し、前記判別手段によって前記第１のレポートページデータの内容と前記実行結果が合致すると判別された場合には、前記第１のレポートページデータを印刷するレポート印刷手段とを有することを特徴とする画像形成装置。
【請求項２】
画像形成装置であって、
印刷ジョブのジョブデータを用いて、印刷用の画像データを生成する画像データ生成手段と、
前記画像データ生成手段によって生成された前記画像データに対する印刷処理を実行する印刷手段と、
前記印刷手段によって実行された前記印刷処理の実行結果を取得する取得手段と、
前記印刷ジョブに設定された属性に基づいて、前記取得手段によって取得された前記実行結果に合致するレポートページデータを生成するレポートページデータ生成手段と、
前記レポートページデータ生成手段によって生成された前記レポートページデータを印刷するレポート印刷手段とを有することを特徴とする画像形成装置。
【請求項３】
画像形成装置であって、
印刷ジョブのジョブデータを用いて、印刷用の画像データを生成する画像データ生成手段と、
前記印刷ジョブに設定された属性に基づいて、前記印刷ジョブを実行する前にレポートページデータを生成するレポートページデータ生成手段と、
前記画像データ生成手段によって生成された前記画像データに対する印刷処理を実行する印刷手段と、
前記印刷手段によって実行された前記印刷処理の実行結果を取得する取得手段と、
前記レポートページデータ生成手段によって生成された前記レポートページデータの内容と前記取得手段によって取得された前記実行結果とが合致するか否かを判別する判別手段と、
前記判別手段によって前記レポートページデータの内容と前記実行結果が合致しないと判別された場合には、前記レポートページデータの内容と前記実行結果が合致しなかったことを示す代替レポートページデータを取得する代替レポートページデータ取得手段と、
前記判別手段によって前記レポートページデータの内容と前記実行結果が合致しないと判別された場合には、前記代替レポートページデータを印刷し、前記判別手段によって前記レポートページデータの内容と前記実行結果が合致すると判別された場合には、前記レポートページデータを印刷するレポート印刷手段とを有することを特徴とする画像形成装置。
【請求項４】
画像形成装置の制御方法であって、
印刷ジョブのジョブデータを用いて、印刷用の画像データを生成する画像データ生成ステップと、
前記印刷ジョブに設定された属性に基づいて、前記印刷ジョブを実行する前に第１のレポートページデータを生成するレポートページデータ生成ステップと、
前記画像データ生成ステップにおいて生成された前記画像データを印刷する印刷処理を実行する印刷ステップと、
前記印刷ステップにおいて実行された前記印刷処理の実行結果を取得する取得ステップと、
前記第１のレポートページデータの内容と前記実行結果とが合致するか否かを判別する判別ステップと、
前記判別ステップにおいて前記第１のレポートページデータの内容と前記実行結果が合致しないと判別された場合には、前記実行結果を反映した第２のレポートページデータを再生成するレポートページデータ再生成ステップと、
前記判別ステップにおいて前記第１のレポートページデータの内容と前記実行結果が合致しないと判別された場合には、前記第２のレポートページデータを印刷し、前記判別ステップにおいて前記第１のレポートページデータの内容と前記実行結果が合致すると判別された場合には、前記第１のレポートページデータを印刷するレポート印刷ステップとを有することを特徴とする制御方法。
【請求項５】
画像形成装置の制御方法であって、
印刷ジョブのジョブデータを用いて、印刷用の画像データを生成する画像データ生成ステップと、
前記画像データ生成ステップにおいて生成された前記画像データに対する印刷処理を実行する印刷ステップと、
前記印刷ステップにおいて実行された前記印刷処理の実行結果を取得する取得ステップと、
前記印刷ジョブに設定された属性に基づいて、前記取得ステップにおいて取得された前記実行結果に合致するレポートページデータを生成するレポートページデータ生成ステップと、
前記レポートページデータ生成ステップにおいて生成された前記レポートページデータを印刷するレポート印刷ステップとを有することを特徴とする制御方法。
【請求項６】
画像形成装置の制御方法であって、
印刷ジョブのジョブデータを用いて、印刷用の画像データを生成する画像データ生成ステップと、
前記印刷ジョブに設定された属性に基づいて、前記印刷ジョブを実行する前にレポートページデータを生成するレポートページデータ生成ステップと、
前記画像データ生成ステップにおいて生成された前記画像データに対する印刷処理を実行する印刷ステップと、
前記印刷ステップにおいて実行された前記印刷処理の実行結果を取得する取得ステップと、
前記レポートページデータ生成ステップにおいて生成された前記レポートページデータの内容と前記取得ステップにおいて取得された前記実行結果とが合致するか否かを判別する判別ステップと、
前記判別ステップにおいて前記レポートページデータの内容と前記実行結果が合致しないと判別された場合には、前記レポートページデータの内容と前記実行結果が合致しなかったことを示す代替レポートページデータを取得する代替レポートページデータ取得ステップと、
前記判別ステップにおいて前記レポートページデータの内容と前記実行結果が合致しないと判別された場合には、前記代替レポートページデータを印刷し、前記判別ステップにおいて前記レポートページデータの内容と前記実行結果が合致すると判別された場合には、前記レポートページデータを印刷するレポート印刷ステップとを有することを特徴とする制御方法。
【請求項７】
画像形成装置の制御方法をコンピュータに実行させるためのプログラムであって、
前記制御方法は、
印刷ジョブのジョブデータを用いて、印刷用の画像データを生成する画像データ生成ステップと、
前記印刷ジョブに設定された属性に基づいて、前記印刷ジョブを実行する前に第１のレポートページデータを生成するレポートページデータ生成ステップと、
前記画像データ生成ステップにおいて生成された前記画像データを印刷する印刷処理を実行する印刷ステップと、
前記印刷ステップにおいて実行された前記印刷処理の実行結果を取得する取得ステップと、
前記第１のレポートページデータの内容と前記実行結果とが合致するか否かを判別する判別ステップと、
前記判別ステップにおいて前記第１のレポートページデータの内容と前記実行結果が合致しないと判別された場合には、前記実行結果を反映した第２のレポートページデータを再生成するレポートページデータ再生成ステップと、
前記判別ステップにおいて前記第１のレポートページデータの内容と前記実行結果が合致しないと判別された場合には、前記第２のレポートページデータを印刷し、前記判別ステップにおいて前記第１のレポートページデータの内容と前記実行結果が合致すると判別された場合には、前記第１のレポートページデータを印刷するレポート印刷ステップとを有することを特徴とするプログラム。
【請求項８】
画像形成装置の制御方法をコンピュータに実行させるためのプログラムであって、
前記制御方法は、
印刷ジョブのジョブデータを用いて、印刷用の画像データを生成する画像データ生成ステップと、
前記画像データ生成ステップにおいて生成された前記画像データに対する印刷処理を実行する印刷ステップと、
前記印刷ステップにおいて実行された前記印刷処理の実行結果を取得する取得ステップと、
前記印刷ジョブに設定された属性に基づいて、前記取得ステップにおいて取得された前記実行結果に合致するレポートページデータを生成するレポートページデータ生成ステップと、
前記レポートページデータ生成ステップにおいて生成された前記レポートページデータを印刷するレポート印刷ステップとを有することを特徴とするプログラム。
【請求項９】
画像形成装置の制御方法をコンピュータに実行させるためのプログラムであって、
前記制御方法は、
印刷ジョブのジョブデータを用いて、印刷用の画像データを生成する画像データ生成ステップと、
前記印刷ジョブに設定された属性に基づいて、前記印刷ジョブを実行する前にレポートページデータを生成するレポートページデータ生成ステップと、
前記画像データ生成ステップにおいて生成された前記画像データに対する印刷処理を実行する印刷ステップと、
前記印刷ステップにおいて実行された前記印刷処理の実行結果を取得する取得ステップと、
前記レポートページデータ生成ステップにおいて生成された前記レポートページデータの内容と前記取得ステップにおいて取得された前記実行結果とが合致するか否かを判別する判別ステップと、
前記判別ステップにおいて前記レポートページデータの内容と前記実行結果が合致しないと判別された場合には、前記レポートページデータの内容と前記実行結果が合致しなかったことを示す代替レポートページデータを取得する代替レポートページデータ取得ステップと、
前記判別ステップにおいて前記レポートページデータの内容と前記実行結果が合致しないと判別された場合には、前記代替レポートページデータを印刷し、前記判別ステップにおいて前記レポートページデータの内容と前記実行結果が合致すると判別された場合には、前記レポートページデータを印刷するレポート印刷ステップとを有することを特徴とするプログラム。